(57)【要約】【課題】  従来の印刷装置において、給紙装置の各表示パネルと増設給紙装置の各パネルと第一段排紙装置の各表示パネルと第二段排紙装置の各表示パネルのランプが共に点滅する場合に、点灯および消灯の契機が一致していなかった。そのため、印刷装置全体として一体感がなく、操作者に対して視覚的疲労感ないしは心理的違和感を与えていた。【解決手段】  画像形成制御部から、給紙制御部、増設給紙制御部、第一段排紙制御部、及び第二段排紙制御部に対して、給紙装置の各表示パネル、増設給紙装置の各表示パネル、第一段排紙装置の各表示パネル、及び第二段排紙装置の各表示パネルにおけるランプの点滅を同期させる手段を設け、給紙装置の各表示パネル、増設給紙装置の各パネル、第一段排紙装置の各表示パネル、及び第二段排紙装置の各表示パネルのランプが共に点滅する場合に、点灯および消灯の契機を一致させることを特徴とする。【選択図】図４
2006018077.tif 000002
【特許請求の範囲】
【請求項１】
制御部を有し用紙に画像を印刷するプリンタなどの画像形成装置と、ランプをもつ表示パネルと前記表示パネルを制御する制御部を有し、前記画像形成装置に用紙を給紙する給紙装置と、ランプをもつ表示パネルと前記表示パネルを制御するための制御部を有し、前記画像形成装置から排出される用紙を整理積載する排紙装置と、前記画像形成装置と前記給紙装置の間、および前記画像形成装置と前記排紙装置の間のデータ通信を行う通信手段を有し、前記画像形成装置の制御部と前記給紙装置の制御部と前記排紙装置の制御部は、それぞれの制御部が非同期に動作する印刷装置において、前記画像形成装置と前記給紙装置と前記排紙装置の各表示パネルにおけるランプの点灯契機とランプの消灯契機を一致させることを特徴とした印刷装置。
【発明の詳細な説明】
【技術分野】
【０００１】
本発明は、印刷装置に関するものである。
【背景技術】
【０００２】
図１−（１）に、画像形成装置１と給紙装置２と増設給紙装置３と第一段排紙装置４と第二段排紙装置５からなる印刷装置を示す。画像形成装置１は、用紙に画像を印刷する。給紙装置２は、給紙手段を上段と下段に有し、画像形成装置１に用紙を給紙する。給紙装置２の上段には表示パネル６を有し、下段には表示パネル７を有する。増設給紙装置３は、給紙手段を上段と下段に有し、画像形成装置１に用紙を給紙する。増設給紙装置３の上段には表示パネル８を有し、下段には表示パネル９を有する。第一段排紙装置４は、用紙積載手段を上段と下段に有し、画像形成装置１から排出される用紙を整理積載する。第一段排紙装置４の上段には表示パネル１０を有し、下段には表示パネル１１を有する。第二段排紙装置５は、用紙積載手段を上段と下段に有し、画像形成装置１から排出される用紙を整理積載する。第二段排紙装置５の上段には表示パネル１２を有し、下段には表示パネル１３を有する。
【０００３】
図１−（２）は、図１−（１）の印刷装置における制御構成を示すブロック図である。図１−（２）を用いて制御構成について説明する。画像形成装置１の制御部である画像形成制御部１４と給紙装置２の制御部である給紙制御部１５は同一基板上に配置され、画像形成装置１と給紙装置２の電源１９から電源供給される。給紙装置２の上段にある表示パネル６と下段にある表示パネル７は、給紙制御部１５にて制御される。増設給紙装置３の制御部である増設給紙制御部１６は増設給紙装置の電源２２から電源供給される。増設給紙装置３の上段にある表示パネル８と下段にある表示パネル９は、増設給紙制御部１６にて制御される。第一段排紙装置４の制御部である第一段排紙制御部１７は、第一段排紙装置の電源２０から電源供給される。第一段排紙装置４の上段にある表示パネル１０と下段にある表示パネル１１は、第一段排紙制御部１７にて制御される。第二段排紙装置５の制御部である第二段排紙制御部１８は、第二段排紙装置の電源２１から電源供給される。第二段排紙装置５の上段にある表示パネル１２と下段にある表示パネル１３は、第二段排紙制御部１８にて制御される。
【０００４】
図１−（３）は、図１−（１）の印刷装置における各表示パネルの構成を示す図である。図１−（３）を用いて表示パネルについて説明する。給紙装置２と増設給紙装置３と第一段排紙装置４と第二段排紙装置５には同一の表示パネルが実装されている。
【０００５】
給紙装置２と増設給紙装置３の上段（または下段）の各表示パネルにおいて、用紙サイズランプ２４は、各装置の上段（または下段）に設置されている用紙のサイズを表示する。選択ランプ２５は、印刷中に用紙が給紙されている場合に点灯する。用紙量ランプ２６は、各装置の上段（または下段）に設置されている用紙の残量を３つのランプで示す。印刷に伴ない用紙残量が少なくなるにつれて、上から下の順で各ランプが消灯していき、用紙残量が規定量以下となり、上の２つのランプが消灯した場合、一番下の用紙量ランプは点滅する。ＬＯＣＫランプ２７は、各装置の上段（または下段）にある引き出しが引き出せない場合に点灯し、かつ給紙テーブルが上昇中または下降中には点滅する。給紙装置２の上段と下段、増設給紙装置３の上段と下段に設置された用紙の残量が全て規定量以下の場合は、各表示パネル全ての用紙量ランプにおいて、一番下のランプが点滅する。
【０００６】
第一段排紙装置４と第二段排紙装置５の上段（または下段）の各表示パネルにおいて、用紙サイズランプ２４は、各装置の上段（または下段）に整理積載されている用紙のサイズを表示する。選択ランプ２５は、印刷中に用紙が排出されている場合に点灯する。用紙量ランプ２６は、各装置の上段（または下段）に積載されている用紙の積載量を３つのランプで表す。印刷に伴ない用紙積載量が増えるにつれて、下から上の順で各ランプが点灯していき、３つのランプが点灯する。さらに用紙積載量が規定量以上となった場合、３つの用紙量ランプは点滅する。ＬＯＣＫランプ２７は、各装置の上段（または下段）にある引き出しが引き出せない場合に点灯し、かつ排紙テーブルが上昇中または下降中には点滅する。第一段排紙装置４の上段と下段、第二段排紙装置５の上段と下段に積載された用紙の積載量が全て規定量以上の場合は、各表示パネル全ての用紙量ランプにおいて、３つのランプが点滅する。
【０００７】
各装置の上段にある表示パネルと下段にある表示パネルのランプが共に点滅する場合について、第一段排紙装置の上段にある表示パネル１０と下段にある表示パネル１１のランプが共に点滅する場合で説明する。以下説明する点滅動作は、給紙装置２、増設給紙装置３、第二段排紙装置５についても同様である。
【０００８】
図２に、第一段排紙装置４における上段の表示パネル１０と下段の表示パネル１１におけるランプの点滅を行うタイミングチャートを示す。図２は、第一段排紙制御部１７が管理しているタイマカウンタの動作と、タイマカウンタに対応した、第一段排紙装置４の上段の表示パネル１０と下段の表示パネル１１におけるランプの点灯および消灯の契機を示しており、縦軸にタイマカウンタ、横軸に時間の経過を示している。タイマカウンタは、一定周期Ｔａで動作を繰り返すカウンタであり、表示パネル１０と表示パネル１１のランプを点滅させる場合の点灯契機と消灯契機に用いる。第一段制御部１７は、第一段排紙制御部１７に電源が投入され、第一段排紙制御部１７の初期化終了後に、一定周期Ｔｂ（Ｔｂ＜Ｔａ）にてタイマカウンタをΔ増加させる。タイマカウンタが規定値ＣｎｔＢより大きくなると０にリセットし、再び一定周期ＴｂにてタイマカウンタをΔ増加させる。第一段排紙装置４の上段の表示パネル１０と下段の表示パネル１１のランプを点滅させる場合、タイマカウンタが０以上で規定値ＣｎｔＡ以下ならばランプを点灯させ、タイマカウンタが規定値ＣｎｔＡより大きく規定値ＣｎｔＢ以下ならばランプを消灯させることでランプは点滅している。そのため、第一段排紙装置４における上段の表示パネル１０と下段の表示パネル１１のランプが共に点滅する場合に、点灯および消灯の契機は一致していた。
【０００９】
一方、２つ以上の異なる装置の各表示パネルのランプが共に点滅する場合について、第一段排紙装置４の上段にある表示パネル１０と第二段排紙装置５の上段にある表示パネル１２のランプが共に点滅する場合で説明する。以下説明する点滅動作は、給紙装置２、増設給紙装置３、第一段排紙装置４、第二段排紙装置５の内、２つ以上の異なる装置の各表示パネルについても同様である。
【００１０】
図３に、第一段排紙装置４における上段の表示パネル１０と第二段排紙装置５における下段の表示パネル１２におけるランプの点滅を行うタイミングチャートを示す。図３−（１）は、第一段排紙制御部１７が管理しているタイマカウンタの動作と、タイマカウンタに対応した第一段排紙装置４の表示パネル１０におけるランプの点灯および消灯の契機を示しており、縦軸にタイマカウンタ、横軸に時間の経過を示している。タイマカウンタは、一定周期Ｔａで動作を繰り返すカウンタであり、表示パネル１０のランプを点滅させる場合の点灯契機と消灯契機に用いる。第一段排紙制御部１７は、第一段排紙制御部１７に電源が投入され、第一段排紙制御部１７の初期化終了後に、一定周期Ｔｂ（Ｔｂ＜Ｔａ）にて第一段排紙制御部１７が管理しているタイマカウンタをΔ増加させる。タイマカウンタが規定値ＣｎｔＢより大きくなると０にリセットし、再び一定周期ＴｂにてタイマカウンタをΔ増加させる。表示パネル１０のランプを点滅させる場合、タイマカウンタが０以上で規定値ＣｎｔＡ以下ならばランプを点灯させ、タイマカウンタが規定値ＣｎｔＡより大きく規定値ＣｎｔＢ以下ならばランプを消灯させることでランプは点滅している。
【００１１】
図３−（２）は、第二段排紙制御部１８が管理しているタイマカウンタの動作と、タイマカウンタに対応した第二段排紙装置５の表示パネル１２におけるランプの点灯および消灯の契機を示しており、縦軸にタイマカウンタ、横軸に時間の経過を示している。タイマカウンタは、一定周期Ｔａで動作を繰り返すカウンタであり、表示パネル１２のランプを点滅させる場合の点灯契機と消灯契機に用いる。第二段排紙制御部１８は、第二段排紙制御部１８に電源が投入され、第二段排紙制御部１８の初期化終了後に、一定周期Ｔｂ（Ｔｂ＜Ｔａ）にて第二段排紙制御部１８が管理しているタイマカウンタをΔ増加させる。タイマカウンタが規定値ＣｎｔＢより大きくなると０にリセットし、再び一定周期ＴｂにてタイマカウンタをΔ増加させる。表示パネル１２のランプを点滅させる場合、タイマカウンタが０以上で規定値ＣｎｔＡ以下ならばランプを点灯させ、タイマカウンタが規定値ＣｎｔＡより大きく規定値ＣｎｔＢ以下ならばランプを消灯させることでランプは点滅している。
【００１２】
従来は、第一段排紙制御部１７と第二段排紙制御部１８は、それぞれのクロックにて非同期に動作しているため、第一段排紙制御部１７のタイマカウンタと第二段排紙制御部１８のタイマカウンタの動作が一致していなかった。そのため、第一段排紙装置４の上段の表示パネル１０と第二段排紙装置１２の上段の表示パネル１２においてランプが共に点滅する場合に、表示パネル１０のランプの点灯契機ｔ１と表示パネル１２のランプの点灯契機ｔ’１が一致していなかった（ｔ１≠ｔ’１）。また、表示パネル１０のランプの消灯契機ｔ２と表示パネル１２のランプの消灯契機ｔ’２が一致していなかった（ｔ２≠ｔ’２）。これは、給紙装置２、増設給紙装置３、第一段排紙装置４、第二段排紙装置５の各表示パネルについても同様である。
【００１３】
【特許文献１】特開平８−１９０５００号公報
【発明の開示】
【発明が解決しようとする課題】
【００１４】
従来の印刷装置において、給紙装置２の各表示パネルと増設給紙装置３の各表示パネルと第一段排紙装置４の各表示パネルと第二段排紙装置５の各表示パネルのランプが共に点滅する場合に、点灯および消灯の契機が一致していなかった。そのため、印刷装置全体として一体感がなく、操作者に対して視覚的な違和感を与えていた。
【００１５】
本発明は、給紙装置の各表示パネルと増設給紙装置の各表示パネルと第一段排紙装置の各表示パネルと第二段排紙装置の各表示パネルのランプが共に点滅する場合に、点灯および消灯の契機を一致させることによって、印刷装置全体として一体感が得られ、視覚的な違和感を軽減することを目的とする。
【課題を解決するための手段】
【００１６】
上記目的を達成するために本発明は、画像形成制御部から、給紙制御部、増設給紙制御部、第一段排紙制御部、及び第二段排紙制御部に対して、給紙装置の各表示パネル、増設給紙装置の各表示パネル、第一段排紙装置の各表示パネル、及び第二段排紙装置の各表示パネルにおけるランプの点滅を同期させる手段を設け、点灯および消灯の契機を一致させることを特徴とする。
【発明の効果】
【００１７】
本発明によれば、給紙装置の各表示パネルと増設給紙装置の各パネルと第一段排紙装置の各表示パネルと第二段排紙装置の各表示パネルのランプが共に点滅する場合に、点灯および消灯の契機が一致しているため、印刷装置全体として一体感が得られ、視覚的な違和感を軽減した印刷装置を提供できる。
【発明を実施するための最良の形態】
【００１８】
給紙装置の各表示パネル、増設給紙装置の各パネル、第一段排紙装置の各表示パネル、及び第二段排紙装置の各表示パネルのランプが共に点滅する場合に、点灯および消灯の契機を一致させることによって、印刷装置全体として一体感が得られ、視覚的な違和感を軽減するという目的を、従来と同様の構成で実現した。以下、本発明を実施例により説明する。
【００１９】
図４に、第一段排紙装置４における上段の表示パネル１０と第二段排紙装置５における下段の表示パネル１２のランプを点滅させる場合に、点灯および消灯の契機を同期させるタイミングチャートを示す。図４−（１）は、画像形成制御部１４が管理しているタイマカウンタの動作を示している。図４−（２）は、第一段排紙制御部１７が管理しているタイマカウンタの動作と、それに対応した表示パネル１０におけるランプの点灯および消灯の契機を示しており、縦軸にタイマカウンタ、横軸に時間の経過を示している。
【００２０】
同様に、図４−（３）は、第二段排紙制御部１８が管理しているタイマカウンタの動作と、それに対応した表示パネル１２におけるランプの点灯および消灯の契機を示しており、縦軸にタイマカウンタ、横軸に時間の経過を示している。図４に示すように、印刷装置の電源が投入され、画像形成装置１と第一段排紙装置４と第二段排紙装置５の間の通信が確立した後、画像形成制御部１は、画像形成制御部１４のタイマカウンタＣｎｔＣを第一段排紙制御部１７に対して送信する。第一段排紙制御部１７は、受信した画像形成制御部１４のタイマカウンタＣｎｔＣを第一段排紙制御部１７のタイマカウンタに設定する。次に、第一段排紙制御部１７は、画像形成制御部１４から受信したタイマカウンタＣｎｔＣを第二段排紙制御部１８に対して送信する。第二段排紙制御部１８は、受信した第一段排紙制御部１７のタイマカウンタＣｎｔＣを第二段排紙制御部１８のタイマカウンタに設定する。それにより、第一段排紙制御部１７のタイマカウンタと第二段排紙制御部１８のタイマカウンタの動作が一致し、第一段排紙装置４と第二段排紙装置５の表示パネルのランプが共に点滅する場合に、表示パネル１０のランプの点灯契機ｔ１と表示パネル１２のランプの点灯契機ｔ’１が一致する（ｔ１＝ｔ’１）。また、表示パネル１０のランプの消灯契機ｔ２と表示パネル１２のランプの消灯契機ｔ’２が一致する（ｔ２＝ｔ’２）。
【００２１】
同様に、画像形成装置１と給紙装置２と増設給紙装置３の間の通信が確立した後、画像形成制御部１は、画像形成制御部１４のタイマカウンタを給紙装置２に対して送信する。給紙制御部１５は、受信した画像形成制御部１４のタイマカウンタを給紙制御部１５のタイマカウンタに設定する。次に、給紙制御部１５は、画像形成装置１から受信したタイマカウンタを増設給紙装置３に対して送信する。増設給紙制御部１６は、受信した給紙制御部１５のタイマカウンタを増設給紙制御部１６のタイマカウンタに設定する。
【００２２】
以上により、給紙制御部１５のタイマカウンタと増設給紙制御部１６のタイマカウンタと第一段排紙制御部１７のタイマカウンタと第二段排紙制御部１８のタイマカウンタの動作を一致させることができる。
【００２３】
本実施例によれば、２つ以上の異なる装置の各表示パネルのランプが共に点滅する場合について、各表示パネルの点灯契機と消灯契機一致させることができる。
【産業上の利用可能性】
【００２４】
操作者に対して装置の状態を知らせるためのランプをもつ表示パネルがあり、複数の装置のランプが共に点滅する場合に、視覚的疲労感や心理的違和感を軽減する必要のある装置に対して適用できる。
【図面の簡単な説明】
【００２５】
【図１】本発明が適用される印刷装置の斜視図である。
【図２】第一段排紙装置の上段と第一段排紙装置の下段における表示パネルのランプの点滅を行うタイミングチャートである。
【図３】第一段排紙装置の上段と第二段排紙装置の下段における表示パネルのランプの点滅を行うタイミングチャートである。
【図４】本発明において、第一段排紙装置の上段と第二段排紙装置の上段における表示パネルのランプの点滅を行うタイミングチャートである。
【符号の説明】
【００２６】
１    画像形成装置
２    給紙装置
３    増設給紙装置
４    第一段排紙装置
５    第ニ段排紙装置
６    給紙装置の上段にある表示パネル
７    給紙装置の下段にある表示パネル
８    増設給紙装置の上段にある表示パネル
９    増設給紙装置の下段にある表示パネル
１０  第一段排紙装置の上段にある表示パネル
１１  第一段排紙装置の下段にある表示パネル
１２  第二段排紙装置の上段にある表示パネル
１３  第二段排紙装置の下段にある表示パネル
１４  画像形成制御部
１５  給紙制御部
１６  増設給紙制御部
１７  第一段排紙制御部
１８  第二段排紙制御部
１９  画像形成装置と給紙装置の電源
２０  給紙装置の電源
２１  増設給紙装置の電源
２２  第一段排紙装置の電源
２３  第二段排紙装置の電源
２４  用紙サイズランプ
２５  選択ランプ
２６  用紙量ランプ
２７  ＬＯＣＫランプ
【図１】
2006018077.tif 000003
【図２】
2006018077.tif 000004
【図３】
2006018077.tif 000005
【図４】
2006018077.tif 000006